(57)【特許請求の範囲】
【請求項１】
残置する貨幣の金種別の枚数を算定する残置設定方法であって、
データ処理装置が、メモリに格納されているデータに基づいて、残置分と回収分とを合わせた現存する貨幣の金種別の枚数である現存枚数Ｎおよび予め設定された金種別の推奨枚数Ｍの双方を超えない枚数を、初期枚数Ｐとして金種別に設定する段階と、
前記データ処理装置が、最高額金種以外の金種から釣銭金種として選定された複数の金種について、初期枚数Ｐと額面との積の合計を初期設定金額Ｑとして算出する段階と、
前記データ処理装置が、予め設定された残置金額Ａと前記初期設定金額Ｑとの差額である充当必要金額Ｒを算出する段階と、
前記データ処理装置が、前記現存する貨幣のうちの前記釣銭金種の貨幣の合計金額と前記初期設定金額Ｑとの差額である充当可能金額Ｓを算出する段階と、
前記データ処理装置が、前記充当必要金額Ｒよりも前記充当可能金額Ｓが小さい場合に、前記現存する貨幣のうちの前記釣銭金種ではない非釣銭金種の貨幣の現存枚数Ｎを超えない範囲内で代用枚数Ｖを設定し、前記充当必要金額Ｒから当該代用枚数Ｖと当該非釣銭金種の額面との積を差し引いた金額を枚数未定金額Ｘとして算出する段階と、
前記データ処理装置が、前記複数の釣銭金種について１金種ずつ順に、当該１金種の現存枚数Ｎと初期枚数Ｐとの差以下の枚数を補正枚数Ｗに設定し、且つ当該補正枚数Ｗと額面との積の分だけ前記枚数未定金額Ｘを減じる段階と、
前記データ処理装置が、前記複数の釣銭金種については金種別に前記初期枚数Ｐと前記補正枚数Ｗとの和を残置枚数Ｚに設定し、前記非釣銭金種については前記初期枚数Ｐと前記代用枚数Ｖとの和を残置枚数Ｚに設定する段階と、を有する
ことを特徴とする残置設定方法。
【請求項２】
前記初期枚数Ｐを設定する段階において、
前記データ処理装置が、設定対象の金種の現存枚数Ｎが推奨枚数Ｍ以上である場合には、当該金種について推奨枚数Ｍを初期枚数Ｐに設定し、
設定対象の金種の現存枚数Ｎが推奨枚数Ｍ未満である場合には、当該設定対象の金種が前記釣銭金種のうちで最も額面が小さい最低額金種であれば、前記釣銭金種の額面のうちの２番目に小さい金額の数値の整数倍であって且つ当該数値の１倍以上２倍未満の値だけ前記現存枚数Ｎより少ない値を初期枚数Ｐに設定し、当該設定対象の金種が前記釣銭金種のうちの前記最低額金種以外であれば、現存枚数Ｎを初期枚数Ｐに設定する
請求項１記載の残置設定方法。
【請求項３】
残置する貨幣の金種別の枚数を算定する残置設定装置であって、
残置分と回収分とを合わせた現存する貨幣の金種別の枚数である現存枚数Ｎおよび予め設定された金種別の推奨枚数Ｍの双方を超えない枚数を初期枚数Ｐとして金種別に設定する手段と、
最高額金種以外の金種から釣銭金種として選定された複数の金種について、初期枚数Ｐと額面との積の合計を初期設定金額Ｑとして算出する手段と、
予め設定された残置金額Ａと前記初期設定金額Ｑとの差額である充当必要金額Ｒを算出する手段と、
前記現存する貨幣のうちの前記釣銭金種の貨幣の合計金額と前記初期設定金額Ｑとの差額である充当可能金額Ｓを算出する手段と、
前記充当必要金額Ｒよりも前記充当可能金額Ｓが小さい場合に、前記現存する貨幣のうちの前記釣銭金種ではない非釣銭金種の貨幣の現存枚数Ｎを超えない範囲内で代用枚数Ｖを設定し、前記充当必要金額Ｒから当該代用枚数Ｖと当該非釣銭金種の額面との積を差し引いた金額を枚数未定金額Ｘとして算出する手段と、
前記複数の釣銭金種について１金種ずつ順に、当該１金種の現存枚数Ｎと初期枚数Ｐとの差以下の枚数を補正枚数Ｗに設定し、且つ当該補正枚数Ｗと額面との積の分だけ前記枚数未定金額Ｘを減じる手段と、
前記複数の釣銭金種については金種別に前記初期枚数Ｐと前記補正枚数Ｗとの和を残置枚数Ｚに設定し、前記非釣銭金種については前記初期枚数Ｐと前記代用枚数Ｖとの和を残置枚数Ｚに設定する手段と、を有する
ことを特徴とする残置設定装置。
【請求項４】
前記初期枚数Ｐを設定する手段は、
設定対象の金種の現存枚数Ｎが推奨枚数Ｍ以上である場合には、当該金種について推奨枚数Ｍを初期枚数Ｐに設定し、
設定対象の金種の現存枚数Ｎが推奨枚数Ｍ未満である場合には、当該設定対象の金種が前記釣銭金種のうちで最も額面が小さい最低額金種であれば、前記釣銭金種の額面のうちの２番目に小さい金額の数値の整数倍であって且つ当該数値の１倍以上２倍未満の値だけ前記現存枚数Ｎより少ない値を初期枚数Ｐに設定し、当該設定対象の金種が前記釣銭金種のうちの前記最低額金種以外であれば、現存枚数Ｎを初期枚数Ｐに設定する
請求項３記載の残置設定装置。
【請求項５】
さらに、金種別の入出金の実績を示す蓄積データに基づいて、前記金種別の推奨枚数Ｍを設定する手段を有する
請求項３または４記載の残置設定装置。
【請求項６】
残置する貨幣の金種別の枚数を算定する残置設定装置が有するコンピュータのためのコンピュータプログラムであって、
前記コンピュータによって実行されたときに、
残置分と回収分とを合わせた現存する貨幣の金種別の枚数である現存枚数Ｎおよび予め設定された金種別の推奨枚数Ｍの双方を超えない枚数を初期枚数Ｐとして金種別に設定する手段と、
最高額金種以外の金種から釣銭金種として選定された複数の金種について、初期枚数Ｐと額面との積の合計を初期設定金額Ｑとして算出する手段と、
予め設定された残置金額Ａと前記初期設定金額Ｑとの差額である充当必要金額Ｒを算出する手段と、
前記現存する貨幣のうちの前記釣銭金種の貨幣の合計金額と前記初期設定金額Ｑとの差額である充当可能金額Ｓを算出する手段と、
前記充当必要金額Ｒよりも前記充当可能金額Ｓが小さい場合に、前記現存する貨幣のうちの前記釣銭金種ではない非釣銭金種の貨幣の現存枚数Ｎを超えない範囲内で代用枚数Ｖを設定し、前記充当必要金額Ｒから当該代用枚数Ｖと当該非釣銭金種の額面との積を差し引いた金額を枚数未定金額Ｘとして算出する手段と、
前記複数の釣銭金種について１金種ずつ順に、当該１金種の現存枚数Ｎと初期枚数Ｐとの差以下の枚数を補正枚数Ｗに設定し、且つ当該補正枚数Ｗと額面との積の分だけ前記枚数未定金額Ｘを減じる手段と、
前記複数の釣銭金種については金種別に前記初期枚数Ｐと前記補正枚数Ｗとの和を残置枚数Ｚに設定し、前記非釣銭金種については前記初期枚数Ｐと前記代用枚数Ｖとの和を残置枚数Ｚに設定する手段と、を前記コンピュータに実現させる
ことを特徴とするコンピュータプログラム。
【発明の詳細な説明】
【技術分野】
【０００１】
本発明は、定額残置のための残置設定の方法および装置に関する。
【背景技術】
【０００２】
各種店舗におけるレジと呼ばれる勘定場所での貨幣管理に釣銭機が用いられている。釣銭機は、投入口に入れられた客からの預かり金を機内に取り込んで保管するとともに、キャッシュレジスタ（金銭登録機）からの要求に応えて釣銭を受取口に排出する。硬貨釣銭機と紙幣釣銭機とを組み合わせて用いるか、または硬貨紙幣釣銭機を用いれば、硬貨および紙幣の管理が可能である。釣銭機に入金された貨幣は通常は定期的に回収される。例えば２４時間営業ではない多くの店舗において、日々営業が終わるごとに回収作業が行われる。
【０００３】
釣銭機からの貨幣の回収には“定額残置”という形態がある。定額残置は、釣銭機内の貨幣の一部を釣銭準備金として残して釣銭準備金以外を回収する残置運用において、残置金額（すなわち、釣銭準備金の金額）を予め定めておく形態である。定額残置の採用によって会計処理を簡便化することができる。通常、残置金額は１万円単位や千円単位といったいわゆる切りのよい金額に選定され、且つ複数の営業日にわたって一定とされる。例えば、会計年度を通じて残置金額を変えない運用もあり得る。
【０００４】
定額残置においては、残置する貨幣の合計金額が残置金額と一致するように金種別に残置枚数を決める必要がある。ただし、釣銭機が取り扱う貨幣のうちの釣銭として使用されない最高額金種の貨幣（典型例としては１万円札）については、残置枚数を０枚とすればよく、実質的に枚数の選定は不要である。残置枚数を決めるにあたって、それまでの入出金の実績を反映させることができる。例えば、曜日や特別な催事の有無といった営業条件を分類し、分類ごとにそれまでの実績を基に金種別の残置枚数を決めておき、回収に際して次回の営業の分類に応じて該当する残置枚数を選択することができる（特許文献１）。
【０００５】
決定される残置枚数は当然ながら釣銭機内に実際に在る貨幣の枚数（以下、現存枚数という）を超えてはならない。現存枚数は回収の都度異なるのが通常であるので、一度決めた残置枚数を毎回の回収にそのまま適用できるとは限らない。すなわち、ある金種の現存枚数が以前に決められている枚数に満たない場合が生じる。この場合には、当該金種の残置枚数を減らして他の金種の残置枚数を増やす枚数調整を行わなければならない。枚数調整を手作業で行うのは面倒である。通常は合計金額を残置金額に一致させるために試行錯誤が繰り返され、そのために回収作業が長引く。
【０００６】
残置枚数を自動的に設定する装置が知られている。この種の装置の１つである定額残置回収装置は、金種ごとに設定された最低枚数が確保されかつ優先順位の高い金種の枚数が多くなるように金種毎の残置枚数を算出する（特許文献２）。他の１つである貨幣処理機は、現存枚数に相当する在高枚数が残置枚数目標値に足りない不足額面の不足分を、在高枚数が残置枚数目標値よりも多い余剰額面の中の高額面の貨幣を優先的に用いて補うための計算をする（特許文献３、段落００６６〜００６８）。
【０００７】
また、現存枚数の範囲内では定額残置が不可能である場合が起こり得ることを想定した貨幣残置方法がある。この方法は、現存枚数の範囲内で残置可能な目標残置金額を決定し、この目標残置金額に一致することを条件として各金種の残置枚数を決定する。この方法では、合計金額を目標残置金額に一致させることが最も優先度の高い第１の条件とされ、金種ごとの優先順位や最低残置枚数の指定は第１の条件よりも優先度の低い第２の条件とされる。残置金額と目標残置金額との差額については何らかの調整を行うことが前提とされている（特許文献４）。
【先行技術文献】
【特許文献】
【０００８】
【特許文献１】特開２００８−１９７８３１号公報
【特許文献２】特開平１１−２１３２１３号公報
【特許文献３】特開２００９−１１６６０４号公報
【特許文献４】特許第３６０７１１３号公報
【発明の概要】
【発明が解決しようとする課題】
【０００９】
定額残置に際して、釣銭として使用する複数の金種の各枚数を現存枚数の範囲内でどのように組み合わせても、残置枚数分の貨幣の合計金額を予め設定されている残置金額に一致させることができない状況が起こり得る。すなわち、小額の貨幣が少ないために端数の調整ができなかったり、釣銭として使用可能な現存する貨幣の合計金額が残置金額に満たなかったりする場合がある。このような場合において、予め用意された補充用の資金を釣銭機に入金すれば、残置金額の条件を満たすことができる。しかし、貨幣の回収作業に釣銭用貨幣を入金する補充作業が加わることは作業負担を低減する上で好ましくはない。言い換えれば、定額残置の実施に関して、釣銭用貨幣を補充する手間を低減するという課題がある。
【課題を解決するための手段】
【００１０】
開示される方法は、残置する貨幣の金種別の枚数を算定する残置設定方法であって、データ処理装置が、メモリに格納されているデータに基づいて、残置分と回収分とを合わせた現存する貨幣の金種別の枚数である現存枚数Ｎおよび予め設定された金種別の推奨枚数Ｍの双方を超えない枚数を、初期枚数Ｐとして金種別に設定する段階と、前記データ処理装置が、最高額金種以外の金種から釣銭金種として選定された複数の金種について、初期枚数Ｐと額面との積の合計を初期設定金額Ｑとして算出する段階と、前記データ処理装置が、予め設定された残置金額Ａと前記初期設定金額Ｑとの差額である充当必要金額Ｒを算出する段階と、前記データ処理装置が、前記現存する貨幣のうちの前記釣銭金種の貨幣の合計金額と前記初期設定金額Ｑとの差額である充当可能金額Ｓを算出する段階と、前記データ処理装置が、前記充当必要金額Ｒよりも前記充当可能金額Ｓが小さい場合に、前記現存する貨幣のうちの前記釣銭金種ではない非釣銭金種の貨幣の現存枚数Ｎを超えない範囲内で代用枚数Ｖを設定し、前記充当必要金額Ｒから当該代用枚数Ｖと当該非釣銭金種の額面との積を差し引いた金額を枚数未定金額Ｘとして算出する段階と、前記データ処理装置が、前記複数の釣銭金種について１金種ずつ順に、当該１金種の現存枚数Ｎと初期枚数Ｐとの差以下の枚数を補正枚数Ｗに設定し、且つ当該補正枚数Ｗと額面との積の分だけ前記枚数未定金額Ｘを減じる段階と、前記データ処理装置が、前記複数の釣銭金種については金種別に前記初期枚数Ｐと前記補正枚数Ｗとの和を残置枚数Ｚに設定し、前記非釣銭金種については前記初期枚数Ｐと前記代用枚数Ｖとの和を残置枚数Ｚに設定する段階と、を有する。
【発明の効果】
【００１１】
釣銭金種の貨幣だけでなく、必要に応じて釣銭金種以外の貨幣が残置の対象とされるので、金種別の残置枚数の組み合わせが多様になる。これによって、貨幣の補充をせずに定額残置を行うことのできる確率が増大する。
【図面の簡単な説明】
【００１２】
【図１】残置設定装置のハードウェア構成の一例を示す図である。
【図２】残置設定装置の機能構成の概要を示す図である。
【図３】実績データ蓄積部の動作を示すフローチャートである。
【図４】推奨残置パターン設定部の動作にかかわる操作入力画面の一例を示す図である。
【図５】推奨残置パターン設定部の動作を示すフローチャートである。
【図６】追加枚数Ｇの算出動作の詳細を示すフローチャートである。
【図７】実用残置パターン設定部による演算の概要を示す図である。
【図８】実用残置パターン設定部の動作を示すフローチャートである。
【図９】実用残置パターン設定部の動作を示すフローチャートである。
【図１０】実用残置パターン設定部の動作を示すフローチャートである。
【図１１】推奨残置パターンの作成例を示す図である。
【図１２】実用残置パターンの作成の第１例（代用なしの場合）を示す図である。
【図１３】実用残置パターンの作成の第１例（代用なしの場合）を示す図である。
【図１４】実用残置パターンの作成の第２例（代用ありの場合）を示す図である。
【図１５】実用残置パターンの作成の第２例（代用ありの場合）を示す図である。
【発明を実施するための形態】
【００１３】
実施形態の一例として、定額残置のための計算機能をＰＯＳレジスタに組み入れる形態を挙げる。定額残置のための計算機能とは、金種別の残置枚数を算定する機能である。ＰＯＳレジスタは、販売時点情報管理（ＰＯＳ：Point of sale）に必要なデータ処理の実行が可能なキャッシュレジスタである。
【００１４】
図１に示されるシステム１はＰＯＳレジスタ２と釣銭機３とを備える。通常、ＰＯＳレジスタ２および釣銭機３は一組として近接配置された状態で使用され、商品取引に際して連携動作をする。例示のＰＯＳレジスタ２には貨幣を収納する機構および空間はなく、貨幣は釣銭機３によって収納される。釣銭機３は一般に流通する紙幣および硬貨の入出金が可能に構成されている。釣銭機３は、投入口に投入された貨幣を識別して収納し、ＰＯＳレジスタ２からの要求に応えて釣銭を出金する。以下では本例のシステム１を店員による操作を想定した構成のシステムとして説明するが、釣銭機３のような自動釣銭機を有するシステムは客が操作するセルフシステムとして構成することもできる。
【００１５】
ＰＯＳレジスタ２は、データ処理装置としての演算部２１、メモリ部２２、表示部２３、操作入力部２４および通信部２５を有する。これらの要素のうち、演算部２１およびメモリ部２２によって残置枚数を算定する残置設定装置２０が実現される。演算部２１は、図示しないＣＰＵ(Central Processing Unit）、ＲＯＭ(Read-Only Memory)およびＲＡＭ(Random Access Memory)を含み、ＰＯＳレジスタ２の動作を制御する。プログラムを実行するコンピュータとしてのＣＰＵは、ＲＯＭに記憶されているプログラムをワークエリアであるＲＡＭにロードして実行する。プログラムには制御プログラムおよび残置に関わる処理プログラムが含まれる。メモリ部２２は、演算部２１のＣＰＵによるプログラム実行に際して補助記憶装置として使用される。メモリ部２２において、後述のように残置枚数に反映される実績データＤ２が蓄積される。表示部２３は、オペレータ（キャッシャ）が操作内容を確認するためのディスプレイと、客が取引金額を確認するためのディスプレイとを含む。操作入力部２４は、取引情報を入力するためのキーボードおよびバーコードリーダを含む。レシート発行装置および磁気カードやＩＣカードの読み取りのためのカードリーダも操作入力部２４に含まれる。通信部２５は、釣銭機３との通信および図示しないホスト装置とのネットワークを介した通信を行うのための信号処理を担う。
【００１６】
一方、釣銭機３は、制御部３１、メモリ部３２、通信部３３、入出金機構３４および貨幣収納庫３５を有する。制御部３１は入出金に伴う機械動作およびデータ処理の制御を担う。メモリ部３２は不揮発性メモリを備え、貨幣収納庫３５内に収納されている残置分と回収分とを合わせた貨幣の全てについての金種ごとの枚数（現存枚数）を示す在高データＤ３を記憶する。通信部３３はＰＯＳレジスタ２との通信のためのインタフェースである。入出金機構３４によって釣銭機３の内部において貨幣が搬送される。貨幣収納庫３５は金種別に貨幣を収納する。
【００１７】
以下、残置設定装置２０の構成および動作をさらに詳しく説明する。
【００１８】
残置設定装置２０の機能は三つに大別することができる。第１は、釣銭準備金として一定額の貨幣を残置する場合の“残置パターン”を最適化するための参考情報として、当該システム１における入出金の実績を記録する機能である。「残置パターン」という用語は、複数の金種の貨幣を残置する場合における、当該複数の金種についての残置枚数の組み合わせを意味する。第２は、記録されている実績を反映させた“推奨残置パターン”と呼称する残置パターンを設定する機能である。第３は、釣銭機３に収納されている貨幣の金種別の枚数（以下、これを現存枚数Ｎという）に応じて、推奨残置パターンを修正する機能である。この第３の機能によって、釣銭機３からの貨幣の回収に際して実際に適用される“実用残置パターン”と呼称する残置パターンが設定される。
【００１９】
これら三つの機能に対応する要素として、図２のように残置設定装置２０は実績データ蓄積部２０１と推奨残置パターン設定部２０２と実用残置パターン設定部２０３とを有する。これら三つの部はプログラムの実行によって実現される機能要素である。実績データ蓄積部２０１は、釣銭機３からの入手金情報を受けて実績データＤ２を更新する。推奨残置パターン設定部２０２は適時に起動され、現存枚数Ｎを考慮せずに実績データＤ２に基づいて推奨残置パターンを設定する。そして、実用残置パターン設定部２０３は釣銭機３からの貨幣の回収作業において起動され、在高データＤ３のうちの金種別の現存枚数Ｎを参照して実用残置パターンを設定する。以下、推奨残置パターンが示す各金種の残置枚数を“推奨枚数Ｍ”と呼称し、実用残置パターンが示す各金種の残置枚数を“残置枚数Ｚ”と呼称する。
【００２０】
残置設定装置２０が入出金の実績に基づく実用残置パターンを設定することによって、回収作業の担当者の負担が軽減される。担当者が釣銭の金種別必要数を予想する必要はなく、予め決められた残置金額（指定金額）と実際に残置する貨幣の合計金額とが一致するように担当者が試行錯誤して残置パターンを決める必要もない。また、担当者が自己の経験則に基づいて残置パターンを決めるのとは違って、記録されている実績に基づいて実用残置パターンを設定することにより、より良い残置を実現することができる。より良いとは、営業中に釣銭が不足する事態が起こりにくいことである。残置が適切であれば、ある商品取引時の釣銭の出金が他の商品取引時の入金によって補われることによって、釣銭として適切な金種の貨幣が釣銭機３内に常に在る状態が保たれる。
【００２１】
好ましい実用残置パターンは、営業の実績に応じた標準的なパターンとして自動的に設定される推奨残置パターンそのものである。したがって、全ての金種について現存枚数Ｎが推奨枚数Ｍ以上であれば、推奨残置パターンがそのまま実用残置パターンに設定される。すなわち、全ての金種について、残置枚数Ｚが推奨枚数Ｍとされる。
【００２２】
しかし、実際には、一つまたは複数の金種の現存枚数Ｎが推奨枚数Ｍよりも少ない場合が発生する。この場合に実用残置パターン設定部２０３は、枚数が不足している金種の不足分を他の金種で補う“充当”を行う。そのための手段である充当処理部２１０を実用残置パターン設定部２０３は含んでいる。
【００２３】
“充当”に関して留意すべきは、充当に関係する金種が“釣銭金種”に限られることである。釣銭金種とは、釣銭機３から釣銭として出金される可能性のある貨幣の金種である。金種を具体的に記述するために日本国内でのシステム１の使用を想定すると、一般に流通する金種の中の最高額金種である一万円を除いた金種は釣銭として使用することができる。しかし、必ずしも一万円以外の金種の全てを釣銭として使用する必要はない。本実施形態では、流通量の少ない二千円が非釣銭金種に選定され、一万円と二千円とを除いた残りの金種である五千円、千円、五百円、百円、五十円、十円、五円および一円が釣銭金種に選定されている。
【００２４】
なお、推奨残置パターンは釣銭金種のみの残置を前提としたものである。その理由は、決まっている残置金額の全体に釣銭金種を割り当てて非釣銭金種の貨幣を残置しないのが釣銭準備の基本とされているからである。したがって、非釣銭金種の推奨枚数Ｍは零である。非釣銭金種については、推奨枚数Ｍが現存枚数Ｎよりも少ないという釣銭金種の充当必要条件に当てはまる状況は発生しない。
【００２５】
充当を実施したとしても残置金額に適合する実用残置パターンが得られない場合がある。その一つに挙げられるのが、釣銭機３に収容されている貨幣のうちの釣銭金種の貨幣の合計金額が残置金額に満たない場合である。この場合に実用残置パターン設定部２０３は、非釣銭金種を残置対象に加えることによって釣銭金種の貨幣の不足を補う“代用”を行う。具体的には例えば１枚以上の一万円札を残置する。代用を実施すれば、残置しなければならない釣銭金種の貨幣の合計金額が減額されるので、決まっている残置金額に適合する実用残置パターンが得られる可能性が生まれる。代用のための手段である代用処理部２２０を実用残置パターン設定部２０３は含んでいる。
【００２６】
代用の実施によって残置金額に適合する実用残置パターンを得ることは、回収作業の担当者にとって有用である。非釣銭金種の貨幣を残置しても釣銭にはならないが、少なくとも定額残置が不可能な状況は解消される。定額残置が不可能な事態を想定して予め補充用の貨幣が用意されている環境では、担当者は補充用の貨幣を釣銭機３に入金するという対応（補充）をとることができる。しかし、補充には相応の手間がかかる。代用は補充作業の手間を省く効果を奏する。
【００２７】
代用の実施によって非釣銭金種の貨幣が残置されても、それによって釣銭の出金に支障が生じるとは限らない。残置した貨幣のみが現存する状態で営業が開始された後、釣銭金種の貨幣の入金を伴う幾回かの商品取引が行なわれ、それによって適切な額の釣銭準備が整うことは十分にあり得る。代用を実施するという着想は、「推奨残置パターンをそのまま適用することができないのであれば、金種にこだわらずに残置金額の条件を満たすことを目指す」という考え方に基づいている。
【００２８】
残置設定装置２０の動作が複数のフローチャートによって示される。
【００２９】
図３のフローチャートが示すように、実績データ蓄積部２０１は、データを保存する期間を指定する操作の内容を操作入力部２４から受け取り、オペレータによって指定された保存期間を設定する（＃１、＃２）。そして、システム時計が示す日付が変わるごとに、実績データ蓄積部２０１は保存期間を超過しているデータを削除する（＃３）。例えば、保存期間指定の単位は日数であり、デフォルトの保存期間は３０日である。オペレータは任意の期間を指定することができる。
【００３０】
商品取引が行なわれるごとに、実績データ蓄積部２０１は釣銭機３における貨幣の入出枚数を金種別にカウントする（＃４）。そして、実績データ蓄積部２０１は、一回の商品取引における金銭登録を確定させるための精算指示操作に呼応して、金種別のカウントの結果を反映させるようにメモリ部２２の実績データＤ２を更新する（＃５、＃６）。
【００３１】
図４は推奨残置パターン設定部２０２の動作にかかわる操作入力画面Ｇ１の一例を示している。操作入力部２４のディスプレイによって表示される操作入力画面Ｇ１において、オペレータはパターン設定の条件を指定することができる。例示の指定項目は、実績を参照する曜日、残置の有無、手動設定と自動設定との選択、参照する実績の期間、残置金額および金種別の最低枚数である。手動設定の場合は最適枚数が項目として加わる。最低枚数は後述の“下限枚数Ｂ”に相当する。店側が必要と判断する最低限の枚数が最低枚数（下限枚数Ｂ）として指定される。最適枚数は上述の“推奨枚数Ｍ”に相当する。操作入力画面Ｇ１は、残置金額をはじめとする数値入力の状態を示す領域９４，９５，９６，９７，９８を有する。
【００３２】
曜日の指定については、月曜から金曜までを指定する平日パターン１と、土曜および日曜を指定する休日パターン２が予め登録されている。パターン選択によって複数の曜日を一括に指定することもできるし、単一または複数の曜日を個別に指定することもできる。
【００３３】
なお、デフォルト状態では、全ての曜日が指定され、参照する実績の期間として保存期間の最古日から最新日までが指定される。参照する実績の期間として保存期間外の期間を指定することはできない。
【００３４】
手動設定の場合において、オペレータは残置金額の条件を満たす範囲内で任意に決めた金種別の枚数を最適枚数（推奨枚数Ｍ）として指定する。このとき、前もって所定の状態表示操作によって調べた現存枚数Ｎを勘案し、そのまま残置に適用可能な枚数を指定することができる。自動設定の場合においては、推奨残置パターン設定部２０２によって自動的に設定されるので、オペレータが最適枚数（推奨枚数Ｍ）を指定する必要はない。
【００３５】
図５のフローチャートは推奨残置パターン設定部２０２の動作を示す。推奨残置パターン設定部２０２は自動設定か否かをチェックする（＃１１）。自動設定が選択されていない場合には、推奨残置パターン設定部２０２はオペレータによる操作入力画面Ｇ１での操作入力に従って推奨枚数Ｍを設定する（＃２０）。一方、自動設定が選択されている場合には、推奨残置パターン設定部２０２は、実績に応じた追加枚数Ｇを計算し、下限枚数Ｂに追加枚数Ｇを加算するという手順で推奨枚数Ｍを設定する（＃１１〜＃１９）。詳しくは次のとおりである。
【００３６】
推奨枚数Ｍの自動設定は、操作入力画面Ｇ１によって指定された条件を計算のために取り込む処理から始まる。残置金額Ａと金種別の下限枚数Ｂとが取り込まれ（＃１２）、続いて曜日と参照する実績の期間とが取り込まれる（＃１３）。そして、指定された曜日および期間の両方に該当する日付の金種別の入枚数および出枚数が、実績データＤ２から抽出される（＃１４）。
【００３７】
計算に必要なデータを取得した推奨残置パターン設定部２０２は、“追加金額Ｃ”を計算する（＃１５）。追加金額Ｃは、下限枚数Ｂによって決まる最低限の残置すべき貨幣の合計金額と残置金額Ａとの差額である。推奨残置パターン設定部２０２は、各金種の下限枚数Ｂに当該金種の額面を乗じて金種別の最低残置額を求め、残置金額Ａから全金種の最低残置額の合計を差し引く。追加金額Ｃを表す数式はＣ＝Ａ−Σ（Ｂ×額面）である。
【００３８】
次に、推奨残置パターン設定部２０２は、実績データＤ２から抽出した入枚数と出枚数とを基に１日当りの平均入枚数と平均出枚数とを金種ごとに計算し、その結果を基に入出の傾向を示す“枚数差Ｄ”および“差額Ｅ”を金種ごとに計算する（＃１６、＃１７）。枚数差Ｄは平均入枚数から平均出枚数を差し引いた数値であり、正または負の値をとる。入が出より多い場合の枚数差Ｄは正であり、入が出より少ない場合の枚数差Ｄは負である。差額Ｅは枚数差Ｄに該当金種の額面を乗じた積であり、枚数差Ｄに応じて正または負の値をとる。ある金種の枚数差Ｄおよび差額Ｅが負であり且つ絶対値が大きいとき、当該金種は不足しやすい金種である。
【００３９】
枚数差Ｄおよび差額Ｅを求めた推奨残置パターン設定部２０２は、後述する追加枚数Ｇの算出処理を実行し（＃１８）、得られた追加枚数Ｇを用いて金種ごとに推奨枚数Ｍを計算する（＃１９）。このときに適用される推奨枚数Ｍの計算式はＭ＝Ｂ＋Ｇである。推奨枚数Ｍは釣銭機３が扱う釣銭金種の全てについて設定される。
【００４０】
図６のフローチャートは図５のステップ＃１８における推奨残置パターン設定部２０２の動作の詳細を示す。追加枚数Ｇの算出処理では、非釣銭金種である最高額金種（本例では一万円）を含む釣銭機３の扱う全ての金種について、額面の降順に１金種ずつ追加枚数Ｇが設定される。すなわち、未選択の金種のうちで最も高額の金種が注目され（＃１８１）、追加枚数Ｇが決まると次の金種が注目される（＃１８６）。本例において最初に注目される金種は一万円であり、最後に注目されるのは一円である。額面の降順に追加枚数Ｇを設定することにより、昇順に設定する場合と比べて追加枚数Ｇの総数が少なくなる。
【００４１】
注目金種について、入出の枚数差Ｄと下限枚数Ｂとが比較される（＃１８２）。枚数差Ｄが下限枚数Ｂを超える場合は、商品取引によって当該金種の貨幣が貯まると推定される場合である。この場合には追加枚数Ｇは零（０枚）とされる（＃１８７）。一方、枚数差Ｄが下限枚数Ｂ以下である場合は、当該金種の貨幣が営業中に不足するおそれが比較的に大きい場合である。この場合には追加枚数Ｇを計算によって決める以下の処理が行なわれる。
【００４２】
まず、比率Ｆが計算される（＃１８３）。比率Ｆは、未処理金種の入出の差額Ｅの合計に対する注目金種の差額Ｅの割合である。ここでいう未処理金種とは、注目金種と額面が注目金種の額面よりも小さい金種との総称である。便宜的に未処理金種の入出の差額ＥをＥ’とすると、比率ＦはＦ＝Ｅ／ΣＥ’の式で表すことができる。比率Ｆを計算することによって、注目金種の貨幣が営業中に不足するおそれの相対的な度合いが数値化される。
【００４３】
次に、比率Ｆを適用して注目金種の追加枚数Ｇが計算される（＃１８４）。その計算式は、Ｇ＝Ｃ×Ｆ÷額面（ただし、少数点以下切捨て）である。すなわち、上述の追加金額Ｃと比率Ｆとの積を注目金種の額面で除し、得られた商からその整数部を抽出する演算またはこれに相当する処理によって追加枚数Ｇが求められる。
【００４４】
そして、追加金額Ｃが再計算される（＃１８５）。注目金種の追加枚数Ｇが決まったのに伴って追加金額Ｃを更新する必要があるからである。追加金額Ｃから注目金種の追加枚数Ｇと額面との積を差し引いた結果が、新たな追加金額Ｃとなる。
【００４５】
以上の図５および図６の示す動作によって設定された推奨残置パターンは、以下に説明する実用残置パターン設定部２０３の動作において参照される。
【００４６】
図７は実用残置パターン設定部２０３による演算の概要を示す。また、図８、図９および図１０のフローチャートは実用残置パターン設定部２０３の動作を示す。
【００４７】
図７のように、実用残置パターンの設定の過程は七つの段階１〜７を有する。段階１では、金種別に現存枚数Ｎおよび推奨枚数Ｍの双方を超えない枚数が初期枚数Ｐとして設定される。段階２では、複数の釣銭金種について、初期枚数Ｐと額面との積の合計が初期設定金額Ｑとして算出される。段階３では、残置金額Ａと初期設定金額Ｑとの差額である充当必要金額Ｒが算出される。段階４では、釣銭機３内に現存する貨幣のうちの釣銭金種の貨幣の合計金額と初期設定金額Ｑとの差額である充当可能金額Ｓが算出される。段階５では、充当必要金額Ｒよりも充当可能金額Ｓが小さい場合に、非釣銭金種の現存枚数Ｎを超えない範囲内で代用枚数Ｖが設定される。そして、充当必要金額Ｒから代用枚数Ｖと当該非釣銭金種の額面との積を差し引いた金額が枚数未定金額Ｘとして算出される。段階６では、複数の釣銭金種について１金種ずつ順に、当該１金種の現存枚数Ｎと初期枚数Ｐとの差以下の枚数が補正枚数Ｗに設定される。そして、枚数未定金額Ｘを零に近づけるように、補正枚数Ｗと額面との積の分だけ枚数未定金額Ｘが減額される。段階７では、釣銭金種については金種別に初期枚数Ｐと補正枚数Ｗとの和が残置枚数Ｚに設定され、非釣銭金種については初期枚数Ｐと代用枚数Ｖとの和が残置枚数Ｚに設定される。
【００４８】
図８のフローチャートにおけるステップ＃２１〜＃２６の処理は段階１に対応する。推奨残置パターンおよび金種別の現存枚数Ｎを取得した実用残置パターン設定部２０３は、最高額金種と上記のとおり選定された釣銭金種とについて１金種ずつ順に初期枚数Ｐを設定する。注目金種の現存枚数Ｎが推奨枚数Ｍ以上であれば（＃２４でＮ≧Ｍ）、推奨枚数Ｍが初期枚数Ｐに設定される。これに対して、注目金種の現存枚数Ｎが推奨枚数Ｍよりも少ない場合には（＃２４でＮ＜Ｍ）、注目金種が最低額金種（一円）でなければ、現存枚数Ｎが初期枚数Ｐに設定される。注目金種が最低額金種であれば、釣銭金種の額面のうちの２番目に小さい金額（本例では５円）の数値の整数倍であって且つ当該数値の１倍以上２倍未満の値（５〜９）だけ現存枚数Ｎより少ない値が初期枚数Ｐに設定される。
【００４９】
最低額金種の初期枚数Ｐを現存枚数Ｎより少なくすることにより、残置する貨幣の合計金額の調整がし易くなり、残置金額に適合する残置パターンが得られ易くなる。最低額金種はその過不足を他の金種で調整することができない金種であるので、最低額金種の初期枚数Ｐを現存枚数Ｎとしてしまうと、合計金額が目標とする残置金額より例えば２円少ないとか３円多すぎるとかいう事態が起こり易い。初期枚数Ｐを現存枚数Ｎより少なくしておけば、このような事態において五円を１枚増やして一円を３枚数減らしたり、五円を１枚減らして一円を３枚増やしたりする枚数調整が可能となる。
【００５０】
図８のステップ＃２７の処理は段階２に対応する。実用残置パターン設定部２０３は、五千から一円までの二千円を除いた釣銭金種のそれぞれについて、初期枚数Ｐと額面との積を計算する。そして、実用残置パターン設定部２０３は、全釣銭金種についての初期枚数Ｐと額面との積の合計を初期設定金額Ｑとして算出する。
【００５１】
図９のステップ＃２９および＃３０の処理が段階３および４に対応する。実用残置パターン設定部２０３は、残置金額Ａから初期設定金額Ｑを差し引き、その結果を充当必要金額Ｒとする。また、実用残置パターン設定部２０３は、充当に使用可能な貨幣の合計金額である充当可能金額Ｓを算出する。詳しくは、釣銭金種の現存枚数Ｎに額面を乗じて各釣銭金種の現存金額を求め、全釣銭金種についての現存金額の合計から初期設定金額Ｑを差し引く。
【００５２】
図９のステップ＃３１〜＃３７の処理は段階５に対応し、実用残置パターン設定部２０３における上述の代用処理部２２０の機能に相当する。
【００５３】
代用処理部２２０は、充当必要金額Ｒと充当可能金額Ｓとを比較する。充当必要金額Ｒが充当可能金額Ｓ以下の場合（＃３１でＲ≦Ｓ）は、代用が不要であるので、代用処理部２２０は代用枚数Ｖを設定しない。この場合はステップ＃３１からステップ＃３７に実行ステップが進む。これに対して、充当必要金額Ｒが充当可能金額Ｓを超える場合（＃３１でＲ＞Ｓ）は、次の処理が行なわれる。
【００５４】
代用処理部２２０は、代用必要枚数Ｔおよび代用可能枚数Ｕを算出する。代用必要枚数Ｔは、最高額金種である一万円のみで代用を行なうのに必要な一万円札の枚数である。代用必要枚数Ｔは、充当必要金額Ｒと充当可能金額Ｓとの差額を最高額金種の額面（１００００）で除し、商の少数点以下を切り上げる演算またはそれに相当する処理によって得られる。代用可能枚数Ｕは、最高額金種である一万円の現存枚数Ｎと初期枚数Ｐとの差である。
【００５５】
続いて、代用処理部２２０は代用必要枚数Ｔと代用可能枚数Ｕとを比較する。代用必要枚数Ｔが代用可能枚数Ｕ以下の場合（＃３４でＴ≦Ｕ）、代用処理部２２０は代用必要枚数Ｔを最高額金種の補正枚数Ｗに設定する。補正枚数Ｗは初期枚数Ｐに対して上乗せする枚数である。非釣銭金種である最高額金種の初期枚数Ｐは零（０枚）であるので、最高額金種の補正枚数Ｗは実質的に代用枚数Ｖである。一方、代用必要枚数Ｔが代用可能枚数Ｕを超える場合（＃３４でＴ＞Ｕ）には、代用処理部２２０は代用可能枚数Ｕを最高額金種の補正枚数Ｗ（実質的に代用枚数Ｖ）に設定する。
【００５６】
そして、代用処理部２２０は枚数未定金額Ｘを算出する（＃３７）。枚数未定金額Ｘは、一万円を含む全金種について、各金種の初期枚数Ｐと補正枚数Ｗとの和に額面を乗じて合計し、その合計金額を残置金額Ａから差し引く演算またはそれに相当する処理によって得られる。ステップ＃３７の処理を最初に実行する時点では、釣銭金種については補正枚数Ｗが設定されていないので、枚数未定金額Ｘは充当必要金額Ｒから最高額金種の補正枚数（代用枚数Ｖ）と額面との積を差し引いた金額に相当する。
【００５７】
図１０のフローチャートにおけるステップ＃３８〜＃４７の処理は段階６に対応し、実用残置パターン設定部２０３における上述の充当処理部２１０の機能に相当する。充当処理部２１０は、全釣銭金種のそれぞれを額面の降順に注目し、推奨枚数Ｍが零（０枚）でない釣銭金種について補正枚数Ｗを設定する。額面の降順に補正枚数Ｗを設定することによって、すなわち高額金種から充当に割り当てることによって、低額金種が足らないために残置パターンが設定できないという事態の発生を少なくすることができる。また、昇順に設定する場合と比べて、補正枚数Ｗの総数が少なくなり、それに伴って残置枚数Ｚが少なくなる。
【００５８】
充当処理部２１０は、１金種の補正枚数Ｗが決まるごとに減額される枚数未定金額Ｘと注目した釣銭金種の額面とを比較する（＃４０）。額面が現時点の枚数未定金額Ｘを超える場合は、注目金種の貨幣を充当に利用することができないので、充当処理部２１０は次の釣銭金種に注目する（＃４０、＃４７、＃３８）。一方、現時点の枚数未定金額Ｘが注目金種の額面以上であれば（＃４０でＸ≧額面）、充当処理部２１０は次のような処理を行なう。
【００５９】
充当処理部２１０は、注目金種について必要枚数Ｙおよび残り枚数Ｎｎを算出する。必要枚数Ｙは、注目金種の貨幣によって最大限の充当をすると仮定した場合に必要な枚数であり、枚数未定金額Ｘを額面で除した商の少数点以下を切捨てた値をとる。残り枚数Ｎｎは、注目金種の貨幣のうちの充当に使用可能な金額分の枚数であり、現存枚数Ｎと初期枚数Ｐとの差である。
【００６０】
続いて、充当処理部２１０は必要枚数Ｙと残り枚数Ｎｎとを比較する。残り枚数Ｎｎが必要枚数Ｙ以上であれば、充当処理部２１０は必要枚数Ｙを注目金種の補正枚数Ｗに設定する（＃４５）。残り枚数Ｎｎが必要枚数Ｙよりも少なければ、充当処理部２１０は残り枚数Ｎｎを注目金種の補正枚数Ｗに設定する（＃４４）。
【００６１】
その後、充当処理部２１０は枚数未定金額Ｘを再計算する。現時点の枚数未定金額Ｘから注目金種の額面に補正枚数Ｗを乗じた積を差し引いた金額が、新たな枚数未定金額Ｘとされる。そして、再計算の結果が零であれば、充当処理部２１０は補正枚数Ｗの設定を終える。再計算の結果が零でなく注目金種より低額の釣銭金種があれば、充当処理部２１０は注目する金種を切り替えて補正枚数Ｗの設定を続ける。
【００６２】
図１０のステップ＃４８は段階７に対応する。実用残置パターン設定部２０３は、釣銭機３の扱う全金種について、初期枚数Ｐと補正枚数Ｗとの和を残置枚数Ｚとして設定する。このとき、非釣銭金種のうち最高額金種については、代用が必要な場合には、補正枚数Ｗとして代用枚数Ｖが設定されているので、残置枚数Ｚは初期枚数Ｐと代用枚数Ｖとの和である。通常、非釣銭金種の推奨枚数Ｍは零であって、推奨枚数Ｍを踏襲する初期枚数Ｐも必然的に零であるので、最高額金種の残置枚数Ｚは代用枚数Ｖである。
【００６３】
以下、残置設定装置２０によって設定される残置パターンの具体例を説明する。
【００６４】
図１１に例示される推奨残置パターン１０の作成における残置金額Ａは100,000円である。推奨残置パターン１０は、10,000円、5,000円、2,000円、1,000円、500円、100円、50円、10円、5円および1円の１０種の貨幣の合計金額が100,000円となるように設定される。設定には、実績データＤ２から抽出された入出金の実績と金種別に指定された下限枚数Ｂとが反映される。
【００６５】
入出金の実績をみると、額面が1,000円以上の金種の枚数差Ｄが正であり、額面が500円以下の金種の枚数差Ｄが負である。枚数差Ｄが正である1000円以上の金種については追加枚数Ｇが零とされ、下限枚数Ｂがそのまま推奨枚数Ｍとなる。追加枚数Ｇの計算は、枚数差Ｄが負である500円以下の金種について実施される。
【００６６】
追加枚数Ｇの計算に係る追加金額Ｃは33,340円である。これは、残置金額Ａである100,000円から下限枚数Ｂと額面との積の全金種についての合計である66,660円を差し引いた金額である。追加金額Ｃの33,340円が500円以下の金種に対して額面の降順に振り分けられる。
【００６７】
追加金額Ｃの振り分けは上述の比率Ｆに依存する。例えば、500円の比率Ｆは、500円以下の金種の差額Ｅの合計（-28、900円）に対する500円の差額Ｅ（-20,000円）の割合であり、約0.692である。追加金額Ｃ（33,340円）と比率Ｆ（0.692）との積を額面（500円）で除した商は46.145であり、それの少数点以下を切り捨てた値は46である。この値（46）が500円の追加枚数Ｇとされる。46枚の500円の合計金額は23,000円であり、再計算後の追加金額Ｃは元の33,340円から23,000円を減じた10,340円となる。100円以下の金種についても差額Ｅに基づいて比率Ｆが計算され、再計算後の追加金額Ｃと比率Ｆとに基づいて追加枚数Ｇが設定される。例示において、100円、50円、10円、5円および1円の追加枚数Ｇは順に81、23、96、13、65である。
【００６８】
各金種の推奨枚数Ｍは下限枚数Ｂと追加枚数Ｇとの和である。例示の推奨残置パターン１０において、額面が1000円以上の金種の推奨枚数Ｍは上述のとおり下限枚数Ｂと等しく、額面が500円以下の金種の推奨枚数Ｍは下限枚数Ｂよりも多い。10,000円、5,000円、2,000円および1,000円の推奨枚数Ｍは、順に0、10、0、10である。500円、100円、50円、10円、5円および1円の推奨枚数Ｍは順に56、91、33、106、23、75である。
【００６９】
図１２および図１３に示される実用残置パターンの作成の第１例は代用が不要な場合の例である。本例の実用残置パターン１５（図示は図１３）は、残置金額Ａが100,000円であるときの推奨残置パターン１０を基に、釣銭機３内の現金（在高）を参照して設定される。例示における釣銭機３内の現金の合計金額は407,402円であって、金額でみる限り100,000円の残置は可能である。
【００７０】
最低額金種を除く各金種の初期枚数Ｐは、基本的には推奨枚数Ｍと現存枚数Ｎとのうちの少ない方に設定される。例示では10,000円、2,000円、1,000円、100円、10円および5円の初期枚数Ｐの値は推奨枚数Ｍの値であり、順に0、0、10、91、106である。残りの5,000円、500円および50円の初期枚数Ｐの値は現存枚数Ｎの値であり、順に5、10、25である。
【００７１】
最低額金種の1円については、現存枚数Ｎよりも推奨枚数Ｍが少なければ、推奨枚数Ｍが初期枚数Ｐに設定される。しかし、例示のように現存枚数Ｎの方が推奨枚数Ｍよりも少ない場合には、現存枚数Ｎそのものではなく現存枚数Ｎよりも少なく且つ1円の次に低額である金種の額面の値の倍数である枚数が、初期枚数Ｐに設定される。例示において1円の現存枚数Ｎの値は27であるが、初期枚数Ｐの値は5の倍数の20である。27と20との差の7は、5円の額面の値（5）の１倍以上２倍未満の範囲内の値に選定されている。このように1円について他の金種と異なる設定をすることによって、上述したとおり、残置する貨幣の合計金額の調整がし易くなり、残置金額に適合する残置パターンが得られ易くなる。
【００７２】
各金種の初期枚数Ｐが決まると、初期設定金額Ｑ、充当必要金額Ｒおよび充当可能金額Ｓを計算することができる。例示では、初期枚数Ｐと額面との積の総和である初期設定金額Ｑは51,545円であり、残置金額Ａから初期設定金額Ｑを減じた差である充当必要金額Ｒは48,455円である。充当可能金額Ｓは、10,000円と2,000円とを除いた金種である釣銭金種について、現存枚数Ｎと初期枚数Ｐとの差に当該金種の額面を乗じ、得られた積を合計する演算によって得られる。充当可能金額Ｓは釣銭金種の余剰額ともいえる。例示の充当可能金額Ｓは51,857円である。
【００７３】
一万円札を残置する“代用”の要否は、充当必要金額Ｒと充当可能金額Ｓとの大小関係によって決まる。例示では充当可能金額Ｓが充当必要金額Ｒを上回っているので、代用は不要である。したがって、充当必要金額Ｒの48,455円に対して図１３のように釣銭金種のみが割り振られる。
【００７４】
図１３において、最高額金種の10,000円から順に各金種の補正枚数Ｗが設定される。基本的には、補正枚数Ｗは必要枚数Ｙと残り枚数Ｎｎとのうちの少ない方である。10,000円については、代用が不要であって代用枚数Ｖが0であるので、必要枚数Ｙが0とされ、必然的に補正枚数Ｗが0となる。10,000円の次の5,000円に注目する時点では、枚数未定金額Ｘは充当必要金額Ｒと変わらず48,455円である。したがって、48,455円を五千円札で充当するとしたときの最大限の枚数である必要枚数Ｙは9である。しかし、5,000円の残り枚数Ｎｎは現存枚数Ｎの5から初期枚数Ｐの５を差し引いた値の0であるので、5,000円の補正枚数Ｗは0とされる。2000円の必要枚数Ｙは24であるが、2000円は釣銭金種に選定されていないので、必要枚数Ｙと残り枚数Ｎｎとの如何にかかわらず、2000円の補正枚数Ｗは0とされる。1,000円の残り枚数Ｎｎは40であって必要枚数Ｙの48よりも少ないので、1,000円の補正枚数Ｗは40とされる。これを受けて枚数未定金額Ｘが再計算され、48,455円から8,455に減る。以降、500円以下の金種について図示のように補正枚数Ｗが設定される。
【００７５】
実用残置パターン１５における各金種の残置枚数Ｚは、初期枚数Ｐと補正枚数Ｗとの和である。例示では、10,000円、5,000円、2,000円、1,000円、500円、100円、50円、10円、5円および1円の残置枚数Ｚは、順に0、5、0、50、10、175、25、111、24、20である。残置枚数Ｚと額面との積である配分金額の全金種についての合計は、ちょうど残置金額Ａの100,000円となっている。
【００７６】
図１４および図１５に示される実用残置パターンの作成の第２例は代用が必要な場合の例である。上述した第1例との差異の理解を容易にするため、図１４および図１５では図１２および図１３と異なる数値に下線を付してある。
【００７７】
第２例の実用残置パターン１６（図示は図１５）は、第1例と同様に残置金額Ａが100,000円であるときの推奨残置パターン１０を基に、釣銭機３内の現金（在高）を参照して設定される。図１４の例示における釣銭機３内の現金の合計金額は397,402円であって、金額でみる限り100,000円の残置は可能である。
【００７８】
図１４のように全金種について初期枚数Ｐが設定される。1円を除く各金種の初期枚数Ｐは推奨枚数Ｍと現存枚数Ｎとのうちの少ない方である。1円の初期枚数Ｐは、現存枚数Ｎよりも少ない5の倍数とされる。例示では、10,000円、5,000円、2,000円、1,000円、500円、100円、50円、10円、5円および1円の初期枚数Ｐは、順に0、5、0、10、10、91、25、106、23、20である。
【００７９】
“代用”の要否を決める充当必要金額Ｒと充当可能金額Ｓとの大小関係とみると、充当可能金額Ｓの41,857円が充当必要金額Ｒの48,455円よりも少ない。代用が必要である。したがって、図１５のように代用枚数Ｖが計算される。
【００８０】
図１５において、代用枚数Ｖは、代用必要枚数Ｔと代用可能枚数Ｕとのうちの少ない方である。充当必要金額Ｒと充当可能金額Ｓとの差額である6,598円に対する代用必要枚数Ｔは1であり、実質的に現存枚数Ｎである代用可能枚数Ｕの30よりも少ない。したがって、代用枚数Ｖは1となる。
【００８１】
代用枚数Ｖが決まった後に、10,000円から額面の降順に各金種の補正枚数Ｗが設定される。10,000円については、必要枚数Ｙが代用枚数Ｖと同じ1とされ、必然的に補正枚数Ｗが1となる。これを受けて枚数未定金額Ｘが再計算され、10,000円の次の5,000円に注目する時点枚数未定金額Ｘは48,455円から10,000円を減じた38,455円である。38,455円を五千円札で充当するとしたときの必要枚数Ｙは7である。しかし、5,000円の残り枚数Ｎｎは0であるので、5,000円の補正枚数Ｗは0とされる。釣銭金種に選定されていない2000円については、必要枚数Ｙと残り枚数Ｎｎとの如何にかかわらず、補正枚数Ｗは0とされる。1,000円の必要枚数Ｙの38であって残り枚数Ｎｎの40よりも少ないので、1,000円の補正枚数Ｗは38とされる。再計算された枚数未定金額Ｘの455円に対する500円の必要枚数Ｙは0であり、100円の必要枚数Ｙは4である。500円と100円とに順に0と４とが補正枚数Ｗとして設定される。以降、50円以下の金種について図示のように補正枚数Ｗが設定される。
【００８２】
実用残置パターン１６における各金種の残置枚数Ｚは、初期枚数Ｐと補正枚数Ｗとの和である。例示では、10,000円、5,000円、2,000円、1,000円、500円、100円、50円、10円、5円および1円の残置枚数Ｚは、順に1、5、0、48、10、95、25、111、24、20である。第2例においても、残置枚数Ｚと額面との積である配分金額の全金種についての合計は、ちょうど残置金額Ａの100,000円となっている。
【００８３】
以上の実施形態によれば、例えば毎日の営業終了時に釣銭機３から貨幣を回収する精算業務が行なわれる店舗において、翌日の釣銭準備金の金種別の残置枚数の調整が残置設定装置２０によって自動化されるので、精算業務の効率化を図ることができる。
【００８４】
上述の実施形態ではＰＯＳレジスタ２が残置設定装置２０を有するが、これに限らない。釣銭機３、ネットワークを介してＰＯＳレジスタ２と通信するホスト、または他の機器に残置設定装置２０の機能を組み入れてもよい。
【００８５】
釣銭機３における入出金機構３４および貨幣収納庫５は、紙幣に関わる部分と硬貨に関わる部分とが一体である構成でもよいし、別体である構成でもよい。
【００８６】
実用残置パターン１５，１６の設定における初期枚数Ｐを決める段階では、最低額金種の1円については、推奨枚数Ｍが現存枚数Ｎより少ない場合に、推奨枚数Ｍそのものではなく、推奨枚数Ｍを超えない５の倍数を初期枚数Ｐとしてもよい。そうすることで5円の現存枚数Ｎが少ない場合の枚数調整がし易くなる。
【００８７】
システム１が扱う金種の貨幣単位は「円」に限らず、使用環境の通貨に適用するように任意に選定される。同じ額面の紙幣と硬貨とが流通する場合のように同じ額面の複数の金種が流通する環境において、システム１を使用することができる。金種別の計算や設定に際して、予め同額の金種について注目の順番を決めておけばよい。また、システム１が扱う金種の数は任意である。
【符号の説明】
【００８８】
２０    残置設定装置
２０３    実用残置パターン設定部
２１０    充当処理部
２２０    代用処理部
【図１】
0005434531.tif 000002
【図２】
0005434531.tif 000003
【図３】
0005434531.tif 000004
【図４】
0005434531.tif 000005
【図５】
0005434531.tif 000006
【図６】
0005434531.tif 000007
【図７】
0005434531.tif 000008
【図８】
0005434531.tif 000009
【図９】
0005434531.tif 000010
【図１０】
0005434531.tif 000011
【図１１】
0005434531.tif 000012
【図１２】
0005434531.tif 000013
【図１３】
0005434531.tif 000014
【図１４】
0005434531.tif 000015
【図１５】
0005434531.tif 000016